(57)【要約】【課題】重要個所への入退場、金庫の施錠管理に鍵、ＩＤカードを使用していたが、忘れたり紛失したりして、かつ、セキュリテイも十分でなかったため、安全で利便性のよいしシステムにすること。【解決手段】個人に普及している携帯情報端末機器を使って電話番号とユーザ自身の顔、容貌を重要個所への出入りの際に携帯情報端末機にて、その都度撮影して特徴抽出をする。重要個所、金庫等には個人認証装置を備える。ここには、普段使用する人の情報を記憶、登録したデータがある。携帯端末機から微弱電波ブルーツース、ＩｒＤＡをつかって個人認証装置に送って、個人認証装置にて確認をうけて、施錠は解除される。この管理方法は、部屋、金庫の使用だけでなく駅の改札、街中にて多方面に応用できる。携帯電話機一つで用は足りるから便利である。【選択図】          図１
2004208244.tif 000002
【特許請求の範囲】
【請求項１】
携帯情報端末機と個人認証装置を使用して人の、入退場を迅速に、正確に行うシステムであって、
携帯情報端末機と個人認証装置に微弱電波ブルーツースと遠赤外通信装置ＩｒＤＡを備えて、電話番号と携帯情報端末機にあるカメラで自分自身の顔、容貌を撮影して、該個人認証装置に送る手段、
個人認証装置には、入退場者の電話番号、顔、容貌等の特徴を記憶しておき入場者の映像を即座に判定する手段を備えたことを特徴とする携帯情報端末機器を使った入退場管理システム。
【請求項２】
前記請求項１において入場者は、自分自身の電話番号と同時に入場しようとする場所にてユーザ自身の撮影した映像を該認証装置に送る手段、
個人認証装置は、所定の時間が経過した映像信号は、拒否する手段を備えたことを特徴とする携帯情報端末機器を使った入退場管理システム。
【請求項３】
請求項１の携帯情報端末機は、少なくともキーボード上に機能キーを設けて、個人認証を受けようとするユーザは、該キーを押したときに、自分自身の映像の撮影と電話番号と撮影したユーザ自身の映像を個人認証装置に、即座に送ることを備えたことを特徴とする携帯情報端末機器を使った入退場管理システム。
【請求項４】
本システムは、人の入退場、駅の改札、イベント、劇場、への入場券として使用する手段、
金庫の施錠、解除、機密性の高い書類、金品の保管の鍵として使用する手段を備えたことを特徴とする携帯情報端末機器を使った入退場管理システム。
【発明の詳細な説明】
【０００１】
【発明の属する技術分野】
本発明は、携帯情報端末機をつかって、個人認証を正確におこなって重要個所への入退場を迅速に、円滑に行う事に関するものであり、特に、厳重に管理する部屋、金庫の施錠と解除を迅速におこなうものである。防犯上必要個所には、出入りする人の顔、容貌の特徴を認証装置に記憶させておき簡単な装置で、オフラインで管理出来るようにしようとしたものである。機密性の低い個所は、人の容貌、顔の特徴を抽出したバイオメトリクスを使わなくても、単に携帯情報端末機の電話番号だけでもよい。
【０００２】
人が入退場する個所は、大体特定された人が出入りする場合が多い。従って、認証装置のデータは、記憶登録された人だけが通過、開閉できればよい。又、本発明を使って、駅、劇場の改札に応用できる。個人認証装置から個人の所持している携帯情報端末機に向かって、信号を伝送して応答を認証して、本人であることを確認して通過させることもできる。
【０００３】
【従来の技術】
例えば、従来部屋の入室に鍵を使ったり、カードを差し込んで解除していた。鍵もカードも無くしやすいし、何枚も所持すれば忘れやすい。携帯情報端末機であれば一つですむ。携帯情報端末機を使ってバーコードを表示して、それを読み取って入場する方法もある。これだと、改札口、入退場装置にバーコードを読ますという不便さがあった。かつ、大量の人を円滑にさばく事は難しかった。
【０００４】
【発明が解決しようとする課題】
このためユーザは、いくつもの鍵を持ったりしていたが番号を合わせるシリンダー錠の場合は、往々にして番号を忘れたりＩＤカードによる場合は、一人が入場すると数人の入室が可能でセキュリテイ上問題があった。さらに、通勤電車の改札、高速道路の料金所は、認証と課金のためにいつも混雑している。
【０００５】
本発明は、かかる従来例の不都合を改善し、特に一般に普及の著しい携帯電話機、携帯情報端末機をつかって安全の確保と社会生活を円滑にすることを、目的にする。
【０００６】
【課題を解決するための手段】
上記目的を解決するために、請求項１に記載の発明は、携帯情報端末機、携帯電話機にカメラ、ブルーツース、遠赤外通信装置ＩｒＤＡを備えて、ユーザ自身の顔、容貌の特徴を送る手段と部屋の鍵、施設等の入場口に個人認証装置を備える。
個人認証装置には、入退場する人のデータ、特徴を記憶登録しておく。入場者及び金庫等の施錠の解除装置を、ユーザの特徴とパターンマッチングして許可する。
【０００７】
請求項２に記載の発明は、安全に正確に個人認証するために入室、機構部の解除を行う際に瞬時にユーザ自身が自分の顔、容貌を撮影して認証装置におくる。この操作は、所定の時間が経過したら無効になる。
【０００８】
これらの操作は、携帯電話機、携帯情報端末機の機能キーひとつ押せば、ユーザの顔、容貌の撮影と電話番号、ユーザの容貌の特徴抽出して圧縮したデータを認証装置におくることができる。請求項３の記載の発明は、個人認証に手間をかけないで、迅速に処理できる構成を採っている。
【０００９】
さらに、請求項４では本発明を社会に有効に役立てるために、鉄道の改札口の定期券への応用、劇場、競技施設の入場のように大勢の人が押し寄せる場所に採用して、円滑に人の流れをさばけるようにした。
【００１０】
なお、本発明の携帯情報端末機は、携帯電話機、ＰＨＳ、ＰＤＡ、インターネット携帯情報端末機等、人が常に携帯する通信手段を備えたものをいう。個人認証装置は、施錠部分、金庫の鍵、駅の改札口、劇場、公共ホール、高速道路の料金所、野球等の競技施設の入退場口に設置して、認証装置より個人の所有する携帯情報端末機に問いかけをおこなう。個人認証の情報が一致していなければ入場を拒否する。又、支払いを請求する。
【００１１】
【発明の実施形態】
【００１２】
以下、本発明の実施形態を図１ないし図４に基づいて説明する。図１は、本システムの基幹要素部の構成を示す図である。携帯電話機等の携帯情報端末機器１０１と認証機器１０７との相関を示したものである。携帯情報端末機器１０１には、デジタルカメラの標準装備が今や、普通になった。本発明では、デジタルカメラによって自分自身を撮影して自分の顔、容貌を認証機器１０７に通信手段にもちいて送り、認証をうける。
【００１３】
１０１の携帯情報端末機器は、デジタルカメラの入力部、即ちレンズ１０４は片方しか図示してないが、１０１の裏側にもあって自分の顔、容貌を撮影することができる。
１０２は、１０１の操作部でテンキー、ファンクションキーを示す。１０３は、表示用のデスプレイで最近、携帯電話機を使ってゲームを楽しむ人も増えてきたために、１０３のデイプレイは大画面に高精細にして、娯楽用と使用できるようになっている。
【００１４】
１０５はアンテナで、携帯電話、ＰＨＳ等の公衆無線用である。微弱無線、ブルーツース（Ｂｌｕｅｔｏｏｔｈ：以下Ｂ・Ｔと称する）の送受信アンテナも兼ねる。１０６はＩｒＤＡ、即ち赤外線通信部の送受発光部を示す。１０７の認証機器と接続のプロトコルは、始めにＢ・Ｔの通信手段を用いて行う。
【００１５】
デジタルカメラ等の画像データは、非常に大容量なので光通信によって、高速大容量の通信を高速に、低消費電力でおこなえる。携帯機器の電池の消耗は、公衆無線、Ｂ・Ｔだけの手段では、大きいのでＩｒＤＡ（Ｉｎｆｒａｒｅｄ  Ｄａｔａ  Ａｓｓｏｃｉａｔｉｏｎ）にて大容量データ通信の送信を行うのが特徴である。
【００１６】
１０９は、公衆無線電波で１１０は、Ｂ・Ｔ、ＩｒＤＡの電波、光通信を示す。１０８は、操作する人を示す。１０７は、個人認証機能と認証してメカニカルな操作をする機構要素を備えた装置である。
【００１７】
例えば、ドアの施錠の解除、金庫の施錠の解除、駅の自動改札、劇場、野球ドーム等の入場の切符代わり使うことが可能である。１０７には、微弱電波ブルートースの送受信装置、ＩｒＤＡの送受信装置を備えている。１０７の内部には、携帯情報端末機器より送られてきた本人の顔、容貌、指紋等のデータが内蔵されている。
【００１８】
中央にサーバー等のセントラル制御装置をおかなくとも、この装置を機密性の高い部屋の入室、金庫の開閉、駅、劇場に設置しておいてあらかじめ使用する人のデータを格納しておけばよい。例えば、機密度の高い部屋への入室には、１０１の携帯電話機から自分の写真を写して、１０２のファンクション・キーを押せばバイオメトリクスの認証によって、１０７が認識すれば施錠は解除される。
【００１９】
指紋認証の場合は、図示してない１０１上に指を乗せれば直ちに指紋のパターンを読み取って、１０１より１０７に送られる。劇場、野球場、競輪、競馬場のような施設の入場券がわりに本発明の発明を利用する場合は、一回１０７が認識したらデータは、消去される。定期券がわりに駅の改札を通過する際も本発明を利用すればよりスムーズに人をさばくことができる。定期券がわりに所持している携帯情報端末機器から自己の認証と定期券の情報を発信すればよい。
【００２０】
例えば、駅の改札に本発明を使用した場合には、改札口よりＩｒＤＡ、Ｂ・Ｔを発信して、通過する人の持っている定期券、カードとか携帯情報端末機器から応答して個人情報を通知すればよい。改札装置は、応答のあった個人のデータを照合して適合していれば、通過を許可する。
【００２１】
適合してなければ、改札を閉じて入場を不可にする。期限切れ、料金が不足していたときには、金銭のチャージを精算機よりおこなう。劇場、サッカー、野球場等の娯楽施設、スポーツの観戦の入場券にも本発明は、駅の改札同様に利用できる。予め、インターネットより、あるいは券売機より自分の携帯情報端末機器に入場券を入力、チャージしておく。入場の際、改札口を通過するだけで個人認証ができる。当然、期限あるいは指定した時間に通過しない場合は、入場券は自動消滅できる。映画館の指定席、列車の指定席、特急券にも適応できる。
【００２２】
入場券、特急指定席券のキャンセルの場合、既に購入したお客から携帯情報端末機より発券元にキャンセル手続きをすれば、手数料のみで損害はすくない。発券元は、再度売り出すことができるからお客、業者にとってもまさに一石二鳥といえる。
【００２３】
首都圏の私鉄の特急券に関しては、このような急なキャンセルに備えて、発車間際の電車の乗降口に駅員を配置して、指定券の再発行をしていた。携帯情報端末機器によってこのような余計な人手を無くすことができる。
【００２４】
高度なＶＩＰ（重要人物）が参加する講演会、集会、催しに不貞の輩が入場しないように個人認証を適格に行うために、図１の１０７の認証装置にモニター画面を接続して本人の顔、容貌を確認してから入場させることも可能である。
【００２５】
図２は、携帯情報端末機１０１の内部構成を示すブロック図である。以下、図２に基づいて説明する。図１にて説明したように本携帯情報端末機は、多様な通信手段を備えて利便性と低通信コストを提供して、利用者の便宜をはかったものである。
【００２６】
２０１は、公衆無線の送受信部をしめす。携帯無線（ＰＤＣ：Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙ−Ｐｈｏｎｅ  Ｓｙｓｔｅｍ）等の音声、データー通信送受信、変復調部である。２１３は、アンテナで２１４は、公衆電波である。
【００２７】
２０２は、Ｂ・Ｔの送受信部であって微弱電波をもちいる。無線伝送は、２次変調に周波数ホッピング（ＦＨ）によるスペクトラム拡散をもちいている。使用周波数帯は無線免許不要のＩＳＭ（Ｉｎｄｕｓｔｒｉａｌ  Ｓｃｉｅｎｔｉｆｉｃ  Ｍｅｄｉｃａｌ  Ｂａｎｄ）で世界共通の２．４ＧＨｚ帯を使用している。
【００２８】
有効到達距離は、１０ｍ以内である。２１５は、Ｂ・Ｔから発信する微弱電波を示す。アンテナは、携帯情報端末機１０１の無線公衆網用のアンテナ２１３と兼用してもよい。あるいは、１０１の筐体にアンテナ線をコイル状にして内部に収めておく。
【００２９】
２０３は、赤外線通信用の送受信変復調部である。２１６は、赤外線の光伝播波である。本構成のＩｒＤＡは指向性を少なく、球面上に広がっていく方式を採用している。不特定多数の人へデータの発信を大量に行うには、球面上の広がりが必要である。
【００３０】
２０４は、画像入力部のカメラである。図２の例では、カメラはひとつであるが必要に応じて複数個つける。携帯電話機で自分の顔を写しながら、反対方向の情景を写して相手と話をするなど、多様な使い勝手がある。
【００３１】
２０５は、携帯情報端末機のシステムを制御するＣＰＵで２０６は、メモリーのＲＡＭである。２０７は各種のキー入力部を示す。電話番号入力のテンキーと＃、＊等のファンクションキーから構成されている。２０３は、デスプレイ部であって通信機能の表示だけでなく、街で電子広告塔より発信されるカタログ、商品の展示像、各種の案内、それに娯楽用に楽しめるゲーム機に対応できるような高精細で大きな画面構成になっている。
【００３２】
２０９は、個人情報を格納するＰＩＭ（Ｐｅｒｓｏｎａｌ  Ｉｎｆｏｒｍａｔｉｏｎ  Ｍｅｍｏｒｙ）を示す。個人のアドレス帳、スケジュールなどが記憶される。２１０は、データメモリー部で本発明のように個人認証にバイオメトリクスを利用するような時、本人の顔、容貌、指紋、眼の虹彩、眼の周辺のしわの文様の特徴を記憶しておく。
【００３３】
２１１は特徴抽出部であって、機密性の高い部屋の入場、金庫の開閉などの際、自分の携帯情報端末機によって自分の顔、容貌を撮影して図１の１０７の認証受信応答機構に照合させる。この際、改ざん、不正使用を防止するために自分の顔、容貌を撮影して瞬時に１０７に送信しなければならない。１分以内とか、数秒たった場合は無効になる。この操作は２０７上のファンクションキーの操作によって一瞬の間に実行できる。
【００３４】
２０７上にある、キーを押せば自分の顔、容貌を撮影して２１１で特徴抽出をおこなう。安全のために、２１０に格納してある自分の特徴と照合してから一致していれば、１０７に送信する。１０７でも予め登録してある本人の特徴と照合して、一致していれば施錠が解除される。
【００３５】
本発明の特徴は、携帯情報端末機より自分の認証をあいての認証受信応答装置に、一瞬のうちに演算して送って各種の施錠、禁止個所、改札の解除を行うことにある。
自分の携帯情報端末機によって、機能させる直前に認証を行うことに特徴がある。ホテルの部屋の入場、劇場、改札口、飛行機の搭乗等応用個所は、大きい。
【００３６】
２１２は、携帯情報端末機のシステムバスで２１７は電池を示す。電池は、近年発展の顕著な薄膜構造の燃料電池を使えば、ほぼ永久的に使用できる。
【００３７】
図３は、携帯情報端末機器からの信号によって応答して機構部の操作をおこなう、受信応答機構装置の内部構成ブロック図をしめす。３０１は、公衆通信網で３０２は、本発明のサービスをおこなうウエブ・サイトである。３０３は、通信線を示す。図示してないが、公衆無線ＰＤＣ、ＰＨＳの送受信部を１０７に備えて、３０６のブロック部において無線でも交信できる。
【００３８】
３０３は、Ｂ・Ｔの送受信変調部である。ユーザ図１の１０８が携帯情報端末機器でアクセスして応答する。３０５は、遠赤外線通信ＩｒＤＡの送受信部であって、ブルーツースＢ・Ｔと同様にユーザの携帯情報端末機１０１と応答する。
【００３９】
３０６は、公衆通信網３０１と１０７とのインターフェース部である。１０７を利用するユーザの情報は、３０９のデータメモリに保管されていて、原則それ以外の人は、本システムでは使えない。個人認証が何らかの事情によってできなかったり、１０７の装置の定期点検、メンテナンスを３０２のサービス・サイトよりおこなう。先にも述べたが公衆無線ＰＤＣ，ＰＨＳをもちいて無線によってこの作業をリモートコントロルで行なってもよい。
【００４０】
３０７は、表示機能部でメッセージをユーザ１０８に、文字、音声でながす。例えば、マンションの部屋に入室しようと携帯情報端末機１０１でアクセスしたとき、１０７に登録してない他人であったとき、入室を拒否するメッセージをながす。
【００４１】
又、ピッキング泥棒のように１０７の装置を破壊、不正な手段を使って入室しようとしたり、機構部の解除をしようとした場合には、警告のメッセージを流して図３では、図示してないカメラを備えて不正行為者の容貌、顔の撮影をしておく。
【００４２】
後で、犯罪行為者の特定につながって防犯上有益になる。３０８は、１０７の全体の制御処理をするＣＰＵである。３０９は、登録者の特徴を記憶しておくメモリであって、ユーザ図１の１０８が携帯情報端末機１０１より、機構解除要求即ち、入室しようとして自分の携帯の電話番号と顔、容貌の写真を１０７に送信して、３０４、３０５で受信する。
【００４３】
３１１では、送られてきた電話番号と顔、容貌の特徴を３０９のデータメモリ部から取り出して、照合をおこなう。一致していなければ、再度個人情報の送信を１０１に呼びかける。電話番号の間違いもあるから２〜３回程度のやり直しは、容認する。
【００４４】
再度繰り返しても一致しない場合は、当然解除はしないし、犯罪行為と考えてその時、侵入しようとした者の写真を撮影して３０９のデータメモリに格納する。オンラインで３０２のウエブサイトに接続している場合には、サイト上から不正行為発覚として、最寄の警察、公安関係者、マンションの場合には管理人に、ホテルの場合には、フロントに急報する。
【００４５】
３１０は機構部の制御部であって、扉の場合にはドアの施錠の解除を３１３のメカニカルな制御装置にて作動させる。本発明は、ドアの開閉だけでなく金庫、重要書類の格納ロッカー、駅の改札口、劇場の入場、野球スポーツの観戦の入場等応用は広い。バイオメトリクスを利用するのと携帯電話機の個人の電話番号を併用することによって機密性の確度は、一層強化される。
【００４６】
パスワードを使う場合は、多いが意外に忘れやすい。携帯の番号はＰＤＣの場合例えば、０９０−１２３４−５６７８であって、ＰＨＳでは、０７０−１２３４−５６７８の双方とも、１１桁で認証の確度は高いし、個人にとっては忘れにくいから利用者にとって便利である。機密性の低い鍵のかわりに使用できる。
【００４７】
しかし、部屋の鍵、金庫、ｅコマースでの支払いを携帯情報端末機で行なうときには、バイオメトリクスでの認証との併用は不可欠である。ここで言うバイオメトリクスは、指紋、顔、容貌、眼の虹彩、静脈のパターン等の個人特有の特徴を指す。
【００４８】
図４は、携帯情報端末機１０１と相手の個人認証装置と、その解除機構装置１０７との通信プロトコルとデータ伝送の状態遷移図を示したものである。携帯情報端末機からｎ１〜ｎｍは、１０７に接続の呼びかけをＳＩＤ（ＳｅｒｖｉｃｅＤｉｓｃｏｖｅｒｙ  Ｐｒｏｔｏｃｏｌ）をＢ・Ｔを使っておこなう。
【００４９】
１０７の認証装置は、携帯情報端末機１０１の呼びかけに応じるとＡＣＫ信号を返答してくる。次に、携帯情報端末機１０１は、ＳＩＰ（Ｓｅｓｓｉｏｎ  Ｉｎｉｔｉａｌ  Ｐｒｏｔｏｃｏｌ）を認証装置に応答する。この過程で１０１と１０７は、接続が完了して１０１からデータを１０７に送ることができる。
【００５０】
図４において、ｘ０は、１０１の接続を認識した過程である。次に、１０１からｘ１、ｘ２、ｘｎの過程で携帯情報端末機１０１から遠赤外線通信ＩｒＤＡによって、個人認証のデータをおくる。顔、容貌の映像はデータ量が大きいので光通信によれば１００Ｍｂｐｓで送れて、低消費電力であるから携帯情報端末機にとっては、都合がよい。
【００５１】
ｙ０の過程では、１０７の個人認証装置が１０１の携帯情報端末機からユーザの認証データを受け取って、データの照合比較を行って問題ないと判断した。１０１からは、１０７に機構部の解除を要求する信号を送ってこの過程を終了する。
【００５２】
ｙ０で認証装置１０７がデータの不一致を検出した場合は、認証不可、解除なしの通知を１０１の携帯情報端末機におくって、１０７の認証装置より警告のメッセージを流す。
【００５３】
携帯情報端末機１０１より再度の認証確認が行われて、それでも認証不可の場合には１０７からユーザの顔、容貌の写真撮影して防犯対策をしておく。本発明では、当初携帯情報端末機同士、機器装置の接続のためのプロトコルの発信は、微弱電波であるＢ・Ｔを使用する。
【００５４】
カメラのような映像データを大量に送るときには、遠赤外線ＩｒＤＡを用いる。この併用によって電池の消耗を防いで、瞬時に大容量伝送が可能になる。
【００５５】
［第２実施形態］
【００５６】
次に、本発明の第２実施形態につき図５乃至図７に基づいて説明する。  図５は、本発明を利用したシステムの全体構成を示すものである。図５において、３０１は、公衆網、インターネット網を示す。５０１、５０２は本発明によるサービス・サイトをネットワーク上に設けたものである。
【００５７】
５０１は、個人の家庭のセキュリテイ、スーパマーケット、企業、ホテル等の出入り口の管理、金庫、重要書類の保管に本発明を適用できる。５０３のサイトは、野球場、スポーツ観戦施設、劇場、ホールの入場管理に本発明を適用する。
【００５８】
図５には、図示してないがＪＲ、私鉄、地下鉄の改札にも適用できる。その際には、各電鉄ごとに、５０１、５０３のようなサイトを通信ネットワーク上に設ける。
５０４は、携帯無線会社の基地局で、５０５はその会社の専用線である。５０２は、携帯無線会社のサイトを示す。
【００５９】
５０６は、サイトと結ぶ通信線である。５０７は劇場、公共施設、鉄道の駅構内を示す。５０８は、野球場、サッカー場等のスポーツの観戦施設、運動ジム等の施設を示す。
【００６０】
５０９は一般の企業、官公庁、自治体の役所で、５１０はスーパマーケット、コンビニ、店舗等を示す。５１１は、ホテル、旅館等の宿泊施設である。ここでは、部屋の入場、セーフテイ・ボックス、金庫等に本発明を適用できる。
【００６１】
５１２は、一般家庭である。近年、夫婦共働きが増加して家のセキュリテイを警備会社に委託するケースも増えている。本発明を適用すれば、サイトを運用する会社に多少のチャージを払うだけで、少なくとも外敵の侵入と家にある資産を守ることができる。
【００６２】
５１３は、車等の移動体である。車のような運搬機器とその中にある、積荷、貴重品を本発明によって守ることができる。機密性の高い荷物のコンテナーの施錠に１０７の個人認証装置と解除装置を使えば、盗難を防ぐことができる。
【００６３】
図６は、携帯情報端末機から個人認証付装置に自分の顔、容貌をその場で撮影して認証装置に送信する過程を示すフロー図である。Ｓ６０１では、携帯情報端末機より個人認証付装置にアクセスする。Ｓ６０２では、個人認証付装置は携帯情報端末機より受領信号Ａｃｋ（図４）を受け取った。
【００６４】
Ｓ６０３では、携帯情報端末機器の電話番号を微弱電波Ｂ・Ｔにて受信して本人であることを確認した。Ｓ６０４では、個人認証装置から本人であることを確認するために、本人の顔、容貌等のバイオメトリクスのデータを送るように携帯情報端末機に要求する。
【００６５】
Ｓ６０５では、本人の映像をＩｒＤＡによって個人認証装置は受領する。Ｓ６０６では、送られてきた本人の映像データと、個人認証装置に登録してあるデータと照合比較する。
【００６６】
Ｓ６０７では、登録データと送られてきた映像データが、一致しているかどうか判定する。一致していれば、Ｓ６０８で個人認証付機構装置を解除して、部屋、改札口であれば入場させる。一致してなければＳ６０４からＳ６０７まで数回繰り返す。
【００６７】
決められた回数の判定を行っても一致しなければ、不正行為とみなしてユーザの顔、容貌の写真を撮影して記録する。同一人物がこのような行為を繰り返したならば、記録を警察、公安関係者におくって調査してもらう。通常の認証によって部屋に入退場した場合でも、個人認証装置１０７には、履歴をのこしておく。
【００６８】
図７は、逆に個人認証装置より携帯情報端末機にアクセスして必要な情報を携帯情報端末機に送信する過程のフロー図である。この場合、街角のホット・スポット、ユーザと業務関係にある企業、展示会場、セミナー、フォーラム等で有効に活用できる。
【００６９】
Ｓ７０１は、街角のサイト、ホット・スポットより歩行者、展示会等に参加した人にむけて個人認証機より接続信号を送る。Ｓ７０２では、サイト、ユーザリストに登録してある人であることを、携帯情報端末機より応答があった。
【００７０】
予め登録してない人とか、一般の人達にやたらに送るとプライバシーという問題に抵触するから、この場合は、登録者か大型量販店で実施しているポイントカードをもっている人を対象にして、広告宣伝のデータ伝送をおこなう。
【００７１】
Ｓ７０２では、携帯電話番号から初回の本人確認ができた。Ｓ７０３では、さらに確認をおこなうために本人の顔、容貌をその場で自分の携帯情報端末機にて撮影して、認証装置におくってもらう。
【００７２】
Ｓ７０４では、送られたデータと認証装置のもっている本人確認データと照合比較する。一致していればＳ７０５にて適合の判定がくだされて、Ｓ７０６で解除されて広告宣伝、業務データが携帯情報端末機におくられる。
【００７３】
Ｓ７０５で一致してない場合には、この状態では不特定多数の人を相手にするから手持ちの、認証装置にある個人データに無い場合もある。Ｓ７０７にて、サービス・サイトより個人認証データを送ってもらう。Ｓ７０８で再度、認証の確認をおこなう。この時点で認証できないときには、データの伝送、あるいはドア、改札口の解除は行わない。
【００７４】
図７のフローの例では、街中の不特定多数の人を対象にしたり、大勢の人が出入りする駅の改札、野球場、競輪競馬場等の施設の入退場に有効である。特に鉄道の駅の改札口では、ラッシュ時にいちいち定期券、キップを改札機に通過させたり、接触させる必要はないから、大勢の乗降客をスムーズにさばける。
【００７５】
キップも事前に窓口でも、電話、インターネットを利用して自分の携帯情報端末機に入力しておけば、改札はスムーズに進む。飛行機の搭乗でもおなじであって、かつ個人認証が確実に行えるからハイジャックを未然に防ぐこともできる。
【００７６】
以上説明した各実施形態によれば、人手と高額な警備会社を使用しなくても、個人の携帯情報端末機と個人認証確認装置によって、確度の高いセキュリテイを保持しながら部屋の入退場、駅の改札、劇場ホールへの入場、野球、競輪競馬場等へのイベントの入退場がスムーズにおこなえる。さらに本発明では、金庫とか機密性の高い書類格納ロッカー等の施錠にも応用できる。
【００７７】
【発明の効果】
本発明は、以上のように構成されて機能するので、これによると複雑な施錠とか警備会社に依頼しなくても、携帯情報端末機と個人認証装置によって不正な侵入を防ぐことができる。携帯情報端末機の電話番号とその場で携帯情報端末機によって撮影した自分自身の映像を送って、特徴抽出して認証を確実に行うことができる。
【００７８】
かつ、不特定多数の人の認証を微弱電波Ｂ・ＴとＩｒＤＡにとって迅速にできるから、駅の改札、劇場、イベントホールの入退場が円滑にできて、数も正確にカウントできる。指定券、急行券のダブルブッキングの心配もない。個人認証が確実に行えるから飛行機の搭乗の際のチェックも万全で、ハイジャックを未然に防ぐこともできる。
【図面の簡単な説明】
【図１】第１実施形態の携帯情報端末機と認証装置の実施形態を示す図である。
【図２】携帯情報端末機の内部構成ブロック図である。
【図３】個人認証装置、解除機構と通信情報網との関係を示すブロック図である。
【図４】携帯情報端末機と個人認証装置との信号伝送を示す状態遷移図である。
【図５】第２実施形態の全体構成を示すシステム構成図である。
【図６】携帯情報端末機と個人認証装置との信号伝送を示すフロー図である。
【図７】第２実施形態の認証装置から携帯情報端末機におくる信号の手順を示すフロー図である。
【符号の説明】
１０１                携帯情報端末機
１０２                キーボード、ファンクションキー
１０３                表示部
１０４                カメラレンズ
１０５，２１３        公衆無線、微弱無線（Ｂ・Ｔ）アンテナ
１０５                微弱無線（Ｂ・Ｔ）アンテナ
１０６                ＩｒＤＡ
１０７                個人認証装置
１０８                人、ユーザ
１０９、２１４        公衆無線電波
１１０                ブルーツース微弱電波、光通信
２０１                携帯無線送受信部
２０２，３０４        ブルーツース送受信部
２０３，３０５        ＩｒＤＡ受発光部
２０４                カメラ、モニター
２０５                ＣＰＵ、中央演算装置
２０６                メモリ
２０７                キーボード入力装置
２０８                表示部
２０９                個人情報格納メモリ
２１０                データメモリ
２１１                特徴抽出部
２１２                携帯情報端末機システムバス
２１５                ブルーツース微弱電波
２１６                ＩｒＤＡ光通信
２１７                電池
３０１                公衆通信網
３０２                サービス・サイト
３０３                通信線
３０６                通信網インターフェース部
３０７                メッセージ表示部
３０８                ＣＰＵ、中央演算部
３０９                データメモリ
３１０                外部機構制御装置インターフェース部
３１１                パターンマッチング部
３１２                個人認証装置システムバス
３１３                機構制御装置
５０１，５０３        サービス・サイト
５０２                公衆無線局専用サイト
５０４                公衆無線基地局
５０５                公衆無線会社専用線
５０６                通信線
５０７                劇場、公共ホール
５０８                遊戯施設、スポーツ観戦施設
５０９                企業、官庁、自治体
５１０                スーパ、コンビに、店舗
５１１                ホテル、旅館
５１２                一般家庭
５１３                車、移動体
【図１】
2004208244.tif 000003
【図２】
2004208244.tif 000004
【図３】
2004208244.tif 000005
【図４】
2004208244.tif 000006
【図５】
2004208244.tif 000007
【図６】
2004208244.tif 000008
【図７】
2004208244.tif 000009